(57)【特許請求の範囲】
【請求項１】
処理ユニット及びサーバーファンを内蔵し、サーバールーム内空気を吸い込み前記処理ユニットに通風してから吹き出すサーバーを複数並べて配列した前記サーバールームの冷却に用いられ、
圧縮機、凝縮器、減圧装置、蒸発器からなる冷凍サイクルと、制御装置とを備えた空調機において、
前記蒸発器と、前記サーバールーム内空気を吸い込み前記蒸発器に通風してから吹き出す室内機ファンと、を内蔵した室内機を前記サーバールームに配置し、
さらに前記室内機は、当該室内機の吸込空気または吹出空気の温度を検出する温度センサを内蔵し、
前記圧縮機の運転停止時に前記室内機ファンの運転を継続して行っている場合で且つ前記温度センサの検出する温度が設定温度以上となった場合に、前記制御装置は、前記室内機ファンの回転数を低くするように制御する
ことを特徴とする空調機。
【請求項２】
請求項１において、前記制御装置は、前記圧縮機の運転停止時に、当該圧縮機を設定時間だけ再起動しないように制御すると共に、その設定時間内に前記温度センサが検出する温度が前記設定温度以上となった場合に前記室内機ファンの回転数を低くするように制御することを特徴とする空調機。
【請求項３】
請求項２において、前記制御装置は、前記温度センサが検出する温度の上昇に伴って、前記室内機ファンの回転数を徐々に低くするように制御することを特徴とする空調機。
【請求項４】
請求項２において、前記制御装置は、前記圧縮機の運転停止時に、前記温度センサが検出する温度とリモコンで設定された温度との温度差に基づいて、前記室内機ファンの回転数を制御することを特徴とする空調機。
【請求項５】
請求項２において、前記制御装置は、前記圧縮機の運転停止時に、前記温度センサが検出する温度と予め設定されたしきい値との温度差に基づいて、前記室内機ファンの回転数を制御することを特徴とする空調機。
【請求項６】
請求項２において、前記室内機は、複数台の前記室内機ファンを有すると共に、前記各室内機ファンに対応する吸込空気または吹出空気の温度を検出する複数の温度センサを有し、前記制御装置は、前記圧縮機の運転停止時に、前記各温度センサが検出する温度に基づいて、対応する前記室内機ファンの回転数を制御することを特徴とする空調機。
【請求項７】
処理ユニット及びサーバーファンを内蔵し、サーバールーム内空気をサーバー背面の吸込口から吸い込み前記処理ユニットを通してサーバー前面の吹出口から吹き出すサーバーを同一向きに複数配列してなる前記サーバールームの冷却に用いられ、
圧縮機、凝縮器、減圧装置、蒸発器からなる冷凍サイクルと、制御装置とを備えた空調機において、
前記蒸発器と、前記サーバールーム内空気を室内機背面の吸込口から吸い込み室内機前面の吹出口より吹き出す室内機ファンと、を内蔵した室内機を前記複数のサーバーの間に逆向きに配置し、
さらに前記室内機は、当該室内機の吸込空気または吹出空気の温度を検出する温度センサを内蔵し、
前記制御装置は、前記圧縮機の運転停止時に、当該圧縮機を所定時間だけ再起動しないように制御すると共に、前記室内機ファンの運転を継続して行っている場合で且つ当該所定時間内に前記温度センサの検出する温度が設定温度以上となった場合に前記室内機ファンの回転数を低くするように制御する
ことを特徴とする空調機。
【請求項８】
請求項７において、前記室内機は、前記サーバーの配列が交互に逆向きの複数列とされるサーバールームに用いられ、前記サーバーの各列の中に当該列のサーバーの向きと逆向きに配置されることを特徴とする空調機。
【発明の詳細な説明】
【技術分野】
【０００１】
本発明は、空調機に係り、特にサーバールームを冷却する室内機を備える空調機に好適なものである。
【背景技術】
【０００２】
従来のサーバーとして、処理ユニット及びサーバーファンを内蔵して、ルーム内空気をサーバー背面の吸込口から吸い込み、発熱機器となる処理ユニットに通風して冷却した後、サーバー前面の吹出口から吹き出すようにしたものがある。このサーバーは、サーバールーム内に、複数台並べて配列されると共に、複数列に配置される。このサーバーの配列は、各列で同一向きに配置されると共に、その向きが交互に逆になるように複数列に配置される。
【０００３】
係るサーバールームの冷却を行う空調機は、圧縮機、凝縮器、減圧装置、蒸発器からなる冷凍サイクルと、制御装置とを備える。この空調機は、サーバールーム内に設置される室内機と、サーバールーム外に設置される室外機とからなっている。
【０００４】
室内機は、蒸発器と、ルーム内空気を室内機背面から吸い込み蒸発器を通して冷却した後に室内機前面より吹き出す室内機ファンと、吸込空気または吹出空気の温度を検出する温度センサとを備えている。この室内機は、サーバーの各列の中に当該列のサーバーの向きと逆向きに配置される複数台の室内機で構成される。
【０００５】
また、制御装置は、圧縮機の運転停止時に室内機ファンの運転を継続して行うように制御する。即ち、サーバールーム内の空気を圧縮機の運転停止時にも循環させてサーバーへの通風を促進すること、吸込空気または吹出空気の温度を検出する温度センサの周囲温度と空調対象空間内の温度とをできるだけ同じにして検知精度を確保することなどを目的として、室内機ファンを常に運転させており、リモコンスイッチで圧縮機の運転時の設定風量で継続運転させるように制御している。なお、圧縮機の運転停止時に室内機ファンの運転を行っている状態がサーモオフと称され、圧縮機の運転時に室内機ファンの運転を行っている状態がサーモオンと称される。また、サーモオフになると、圧縮機の保護のために、所定時間（例えば３分間）は圧縮機を再起動しないように制御することが一般に行われている。
【０００６】
サーバー及び空調機の運転状態において、ルーム内空気は、サーバー背面から吸い込まれ、処理ユニットの排熱を冷却して温度上昇されて前面から吹き出された後、当該サーバーの列の中に設置された室内機の背面から吸い込まれ、蒸発器で冷却されて前面から吹き出される。室内機から吹き出された冷却空気は、サーバーの背面側に至り、サーバーに吸い込まれ、サーバーを冷却した後に、サーバー前面より吹き出される。サーバールーム内の空気はこのように循環されてサーバーを良好に冷却する。
【０００７】
【特許文献１】特開２００３−１６６７２９号公報
【発明の開示】
【発明が解決しようとする課題】
【０００８】
係る空調機において、サーモオフ時には、冷却運転時と同じ風量で送風運転が継続されると共に、圧縮機の運転が停止されて冷凍サイクルが運転されない状態となる。このサーモオフ時に、例えば室内機に隣接する処理ユニットの温度が上昇してサーバーからの吹出空気温度が上昇した場合、冷却運転の風量で送風運転が継続されているため、サーバーから吹き出された熱い空気の多くが室内機に吸い込まれることとなる。室内機に吸い込まれた熱い空気は、蒸発器による冷却が行われないので、そのままの熱い空気温度で背面側から吹き出される。これによって、温度上昇しているサーバーの背面側に熱い空気が供給されてサーバーに吸い込まれることになるため、サーバーの処理ユニットの寿命の短命化、誤動作などの悪影響を及ぼすおそれがあった。
【０００９】
なお、係る空調機に関連する特許文献として、特開２００３−１６６７２９号公報（特許文献１）が挙げられる。
【００１０】
本発明の目的は、サーバーの処理ユニットの長寿命化及び誤作動の防止を図ることができる空調機を得ることにある。
【課題を解決するための手段】
【００１１】
前述の目的を達成するための本発明の第１の態様では、処理ユニット及びサーバーファンを内蔵し、サーバールーム内空気を吸い込み前記処理ユニットに通風してから吹き出すサーバーを複数並べて配列した前記サーバールームの冷却に用いられ、圧縮機、凝縮器、減圧装置、蒸発器からなる冷凍サイクルと、制御装置とを備えた空調機において、前記蒸発器と、前記サーバールーム内空気を吸い込み前記蒸発器に通風してから吹き出す室内機ファンと、を内蔵した室内機を前記サーバールームに配置し、さらに前記室内機は、当該室内機の吸込空気または吹出空気の温度を検出する温度センサを内蔵し、前記圧縮機の運転停止時に前記室内機ファンの運転を継続して行っている場合で且つ前記温度センサの検出する温度が設定温度以上となった場合に、前記制御装置は、前記室内機ファンの回転数を低くするように制御することにある。
【００１２】
係る本発明の第１の態様におけるより好ましい具体的構成例は次の通りである。
（１）前記制御装置は、前記圧縮機の運転停止時に、当該圧縮機を設定時間だけ再起動しないように制御すると共に、その設定時間内に前記温度センサが検出する温度が前記設定温度以上となった場合に前記室内機ファンの回転数を低くするように制御すること。
（２）前記（１）において、前記制御装置は、前記温度センサが検出する温度の上昇に伴って、前記室内機ファンの回転数を徐々に低くするように制御すること。
（３）前記（１）において、前記制御装置は、前記圧縮機の運転停止時に、前記温度センサが検出する温度とリモコンで設定された温度との温度差に基づいて、前記室内機ファンの回転数を制御すること。
（４）前記（１）において、前記制御装置は、前記圧縮機の運転停止時に、前記温度センサが検出する温度と予め設定されたしきい値との温度差に基づいて、前記室内機ファンの回転数を制御すること。
（５）前記（１）において、前記室内機は、複数台の前記室内機ファンを有すると共に、前記各室内機ファンに対応する吸込空気または吹出空気の温度を検出する複数の温度センサを有し、前記制御装置は、前記圧縮機の運転停止時に、前記各温度センサが検出する温度に基づいて、対応する前記室内機ファンの回転数を制御すること。
【００１３】
また、本発明の第２の態様では、処理ユニット及びサーバーファンを内蔵し、サーバールーム内空気をサーバー背面の吸込口から吸い込み前記処理ユニットを通してサーバー前面の吹出口から吹き出すサーバーを同一向きに複数配列してなる前記サーバールームの冷却に用いられ、圧縮機、凝縮器、減圧装置、蒸発器からなる冷凍サイクルと、制御装置とを備えた空調機において、前記蒸発器と、前記サーバールーム内空気を室内機背面の吸込口から吸い込み室内機前面の吹出口より吹き出す室内機ファンと、を内蔵した室内機を前記複数のサーバーの間に逆向きに配置し、さらに前記室内機は、当該室内機の吸込空気または吹出空気の温度を検出する温度センサを内蔵し、前記制御装置は、前記圧縮機の運転停止時に、当該圧縮機を所定時間だけ再起動しないように制御すると共に、前記室内機ファンの運転を継続して行っている場合で且つ当該所定時間内に前記温度センサの検出する温度が設定温度以上となった場合に前記室内機ファンの回転数を低くするように制御することにある。
【００１４】
係る本発明の第２の態様におけるより好ましい具体的構成例は次の通りである。
（１）前記室内機は、前記サーバーの配列が交互に逆向きの複数列とされるサーバールームに用いられ、前記サーバーの各列の中に当該列のサーバーの向きと逆向きに配置されること。
【発明の効果】
【００１５】
係る本発明の空調機によれば、サーバーの処理ユニットの長寿命化及び誤作動の防止を図ることができる。
【発明を実施するための最良の形態】
【００１６】
以下、本発明の複数の実施形態について図を用いて説明する。各実施形態の図における同一符号は同一物または相当物を示す。
【００１７】
（第１実施形態）
本発明の第１実施形態の空調機を図１から図６を用いて説明する。
【００１８】
まず、本実施形態の空調機の全体構成、機能に関して図１及び図２を参照しながら説明する。図１は本実施形態の空調機の室内機をサーバールームに設置した状態を示す斜視図、図２は図１の室内機の概念図である。
【００１９】
サーバー２は、処理ユニット及びサーバーファンを内蔵して、サーバールーム内の空気を、図１の矢印６に示すようにサーバー背面の吸込口２ａから吸い込み、発熱機器となる処理ユニットに通風して冷却した後、図１の矢印３に示すようにサーバー前面の吹出口２ｂからサーバールーム内へ吹き出すように構成されている。このサーバー２は、サーバールーム内に、複数台並べて配列されると共に、複数列に配置されている。具体的には、サーバー２の配列は、各列で同一向きに配置されると共に、その向きが交互に逆になるように複数列に配置されている。係るサーバー２の配置によって、サーバー２から吹き出した空気が対面するサーバー２に直接吸い込まれてしまうことを防止している。なお、サーバールームは、サーバーと共に、他の通信・情報処理機器が配置されていてもよい。
【００２０】
係るサーバールームの冷却を行う空調機は、圧縮機、室外熱交換器である凝縮器、減圧装置、室内熱交換器である蒸発器８からなる冷凍サイクルと、この冷凍サイクル及びファンモータ１１などを制御する制御装置とを備えて構成されている。本実施形態の空調機は、サーバールームの冷房専用であるが、必要に応じて暖房や除湿もできるようにしてもよい。空調機は、サーバールーム内に設置される室内機１と、サーバールーム外に設置される室外機とからなっている。
【００２１】
室内機１は、図２に示すように、蒸発器８、室内機ファン９、ファンモータ１１、吸込温度センサ１２、吹出温度センサ１３、リモコンスイッチ１４を備えている。
【００２２】
室内機ファン９は、ファンモータ１１により駆動され、サーバールーム内の空気を、図１及び図２の矢印４に示すように室内機背面の吸込口１ａから吸い込み、蒸発器８を通して冷却した後に、矢印５に示すように室内機前面の吹出口１ｂより吹き出すように機能する。ファンモータ１１は、インバータ駆動モータで構成され、制御装置により制御される。
【００２３】
吸込温度センサ１２は、吸込空気温度である室内機吸込温度を検出するものであり、吸込口１ａの内側あるいは室内機外側の吸込空気温度を検知したい場所に配置されている。吹出温度センサ１３は、吹出空気温度である室内機吹出温度を検出するものであり、吹出口１ｂの内側あるいは室内機外側の吹出空気温度を検知したい場所に配置されている。なお、吸込温度センサ１２または吹出温度センサ１３の何れかを備えるのみであってもよい。
【００２４】
リモコンスイッチ１４は、空調機の運転、停止、室内機風量（室内機ファンの回転数；運転周波数）、室内機吹出温度などを設定する装置であり、サーバールームの中または外に配置される。
【００２５】
室内機１は、サーバー２の各列の中に当該列のサーバー２の向きと逆向きに配置される室内機で構成されている。これによって、サーバー２から吹き出された空気を効率よく吸い込んで蒸発器、サーバー２の吸込側に効率よく吹き出すことができる。また、室内機１は、互いに直接対向しないように、各列における配置位置がずれて設置されている。これによって、室内機１から吹き出された空気が直接緩衝することなく、サーバー２の吸込側に吹き出すことができる。
【００２６】
制御装置は、通常の冷却運転時に、リモコンスイッチ１４などで設定された設定温度（またはしきい値）と室内機１の温度検知センサ１２、１３で検出した温度とに基づいて、室内機吸込温度あるいは室内機吹出温度がリモコンスイッチ１４で設定した温度（またはしきい値）に近づくよう空調機を制御する。具体的には、室内機１の吹出空気温度がリモコンスイッチ１４などで設定された温度（またはしきい値）になるように空調機を制御する吹出温度制御と、室内機の吸込空気温度がリモコンスイッチ１４などで設定した温度（またはしきい値）になるように空調機の圧縮機を制御する吸込温度制御とが使用環境により選択可能となっている。
【００２７】
この空調運転で、空調機の室内機吸込温度あるいは室内機吹出温度がリモコンスイッチ１４で設定した設定温度または予め設定されたしきい値となった場合、制御装置は当該空調機の圧縮機を停止させて室内機ファン９のみを継続するように制御する。この状態を前述したようにサーモオフと称している。なお、サーモオフへの移行時の室内機ファン９の風量は、圧縮機の運転時の設定風量である。
【００２８】
サーモオフになると、圧縮機の保護のために、所定時間（例えば３分間）は圧縮機が再起動しないように制御される。サーモオフでは、通常、室内機１の吹出温度あるいは吸込温度がリモコンスイッチ１４で設定した温度より高い温度になるまで（またはリモコンスイッチ１４で設定した温度より高いしきい値になるまで）、サーモオフ移行時の室内機ファン９の風量が継続される。
【００２９】
しかし、このサーモオフ時の圧縮機を保護する制御中に、サーバー２の処理ユニットの温度が上昇してその吹出空気温度が上昇した場合、圧縮機の運転を開始することができない。そこで、本実施形態では、圧縮機の運転停止時に、温度センサの検出温度が前述の所定温度を超えた場合に、室内機ファン９の回転数を低くするように制御する。これによって、温度上昇したサーバー２から吹き出された熱い空気が室内機１に吸い込まれる量が少なくなり、これに伴って背面側から吹き出され空気温度の上昇が抑えられると共にその風量が少なくなる。これによって、温度上昇したサーバー２の吸込空気温度の上昇を抑制できるので、サーバー２の処理ユニットの長寿命化及び誤作動の防止を図ることができる。
【００３０】
図３において、圧縮機の運転が停止してサーモオフになると（ステップＳ４１）、室内機ファン９の風量（運転周波数；回転数）はサーモオン中の設定風量を継続する（ステップＳ４２）。室内機ファン９は、インバータ駆動ファンモータ１１により回転しており、サーモオン中の設定風量はファンモータ運転周波数ａＨｚである。
【００３１】
この状態で、室内機吹出温度Ｔｏ（吹出温度センサ１３で検知する温度）がリモコンスイッチ１４で設定した吹出設定温度Ｔｓ１に対し＋Ａ℃となったかを判定する（ステップＳ４３）。この判定で、Ｔｓ１＋Ａ℃となっていない場合には、ステップＳ４２に戻り、ステップＳ４５の判定を繰り返す。
【００３２】
ステップＳ４３の判定で、Ｔｓ１＋Ａ℃となった場合には、ファンモータ１１の運転周波数をｂＨｚに下げて風量を低下させる（ステップＳ４４）。これによって、温度上昇したサーバー２から吹き出された熱い空気が室内機１に吸い込まれる量を少なくすることができる。
【００３３】
この状態で、室内機吹出温度Ｔｏが吹出設定温度Ｔｓ１に対し＋Ｂ℃となったかを判定する。この判定で、Ｔｓ１＋Ｂ℃となっていない場合には、ステップＳ４４に戻り、ステップＳ４４の判定を繰り返す。
【００３４】
ステップＳ４５の判定で、Ｔｓ１＋Ｂ℃となった場合には、ファンモータ１１の運転周波数をｃＨｚにさらに下げて風量を低下させる（ステップＳ４６）。これによって、さらに温度上昇したサーバー２から吹き出された熱い空気が室内機１に吸い込まれる量をさらに少なくすることができる。
【００３５】
この状態で、室内機吹出温度Ｔｏが吹出設定温度Ｔｓ１に対し＋Ｃ℃となったかを判定する（ステップＳ４７）。この判定で、Ｔｓ１＋Ｃ℃となっていない場合には、ステップＳ４６に戻り、ステップＳ４７の判定を繰り返す。
【００３６】
ステップＳ４７の判定で、Ｔｓ１＋Ｃ℃となった場合には、ファンモータ１１の運転周波数をｄＨｚにさらに下げて風量を低下させる（ステップＳ４８）。これによって、さらに温度上昇したサーバー２から吹き出された熱い空気が室内機１に吸い込まれる量をさらに少なくすることができる。
【００３７】
なお、図３におけるＡ、Ｂ、Ｃは予め設定されたしきい値でありＡ＜Ｂ＜Ｃとなるよう設定され、各設定運転周波数ａ、ｂ、ｃ、ｄはａ＞ｂ＞ｃ＞ｄとなるよう設定されている。
【００３８】
係る図３の制御によれば、吹出温度センサ１３が検出する温度の上昇に伴って、室内機ファン９の回転数を徐々に低くするように制御するので、サーバー２をより一層確実に保護することができる。
【００３９】
図４において、圧縮機の運転が停止してサーモオフになると（ステップＳ５１）、室内機ファン９の風量（運転周波数；回転数）はサーモオン中の設定風量を継続する（ステップＳ５２）。室内機ファン９はインバータ駆動ファンモータ１１により回転しており、サーモオン中の設定風量はファンモータ運転周波数ａＨｚである。
【００４０】
この状態で、室内機吸込温度Ｔｉ（吸込温度センサ１２で検知する温度）がリモコンスイッチ１４で設定した吸込設定温度Ｔｓ２に対し＋Ａ℃となったかを判定する（ステップＳ５３）。この判定で、Ｔｓ２＋Ａ℃となっていない場合には、ステップＳ５２に戻り、ステップＳ５３の判定を繰り返す。
【００４１】
ステップＳ５３の判定で、Ｔｓ２＋Ａ℃となった場合には、ファンモータ１１の運転周波数をｂＨｚに下げて風量を低下させる（ステップＳ５４）。これによって、温度上昇したサーバー２から吹き出された熱い空気が室内機１に吸い込まれる量を少なくすることができる。
【００４２】
この状態で、室内機吸込温度Ｔｉが吸込設定温度Ｔｓ２に対し＋Ｂ℃となったかを判定する（ステップＳ５５）。この判定で、Ｔｓ２＋Ｂ℃となっていない場合には、ステップＳ５４に戻り、ステップＳ５５の判定を繰り返す。
【００４３】
ステップＳ５５の判定で、Ｔｓ２＋Ｂ℃となった場合には、ファンモータ１１の運転周波数をｃＨｚにさらに下げて風量を低下させる（ステップＳ５５）。これによって、さらに温度上昇したサーバー２から吹き出された熱い空気が室内機１に吸い込まれる量をさらに少なくすることができる。
【００４４】
この状態で、室内機吸込温度Ｔｉが吸込設定温度Ｔｓ２に対し＋Ｃ℃となったかを判定する（ステップＳ５６）。この判定で、Ｔｓ２＋Ｃ℃となっていない場合には、ステップＳ５５に戻り、ステップＳ５６の判定を繰り返す。
【００４５】
ステップＳ５６の判定で、Ｔｓ２＋Ｃ℃となった場合には、ファンモータ１１の運転周波数をｄＨｚにさらに下げて風量を低下させる（ステップＳ５７）。これによって、さらに温度上昇したサーバー２から吹き出された熱い空気が室内機１に吸い込まれる量をさらに少なくすることができる。
【００４６】
なお、図４におけるＡ、Ｂ、Ｃ及びａ、ｂ、ｃ、ｄは、図４と同じしきい値である。
【００４７】
係る図４の制御によれば、吸込温度センサ１２が検出する温度の上昇に伴って、室内機ファン９の回転数を徐々に低くするように制御するので、サーバー２をより一層確実に保護することができる。
【００４８】
図５において、圧縮機の運転が停止してサーモオフになると（ステップＳ６１）、室内機ファン９の風量（運転周波数；回転数）はサーモオン中の設定風量を継続する（ステップＳ６２）。室内機ファン９は、インバータ駆動ファンモータ１１により回転しており、サーモオン中の設定風量はファンモータ運転周波数ａＨｚである。
【００４９】
この状態で、室内機吸込温度Ｔｉまたは室内機吹出温度Ｔｏがしきい値Ｘ℃となったかを判定する（ステップＳ６３）。なお、室内機吸込温度Ｔｉまたは室内機吹出温度Ｔｏと表すが、何れか一方の温度で制御される２つの動作フローを簡易化したものである。この判定で、Ｘ℃となっていない場合には、ステップＳ６２に戻り、ステップＳ６３の判定を繰り返す。
【００５０】
ステップＳ６３の判定で、Ｘ℃となった場合には、ファンモータ１１の運転周波数をｂＨｚに下げて風量を低下させる（ステップＳ６４）。これによって、温度上昇したサーバー２から吹き出された熱い空気が室内機１に吸い込まれる量を少なくすることができる。
【００５１】
この状態で、室内機吸込温度Ｔｉまたは室内機吹出温度Ｔｏがしきい値Ｙ℃となったかを判定する（ステップＳ６５）。この判定で、Ｙ℃となっていない場合には、ステップＳ６４に戻り、ステップＳ６５の判定を繰り返す。
【００５２】
ステップＳ６５の判定で、Ｙ℃となった場合には、ファンモータ１１の運転周波数をｃＨｚにさらに下げて風量を低下させる（ステップＳ６６）。これによって、さらに温度上昇したサーバー２から吹き出された熱い空気が室内機１に吸い込まれる量をさらに少なくすることができる。
【００５３】
この状態で、室内機吸込温度Ｔｉまたは室内機吹出温度Ｔｏがしきい値Ｚ℃となったかを判定する（ステップＳ６７）。この判定で、Ｚ℃となっていない場合には、ステップＳ６６に戻り、ステップＳ６７の判定を繰り返す。
【００５４】
ステップＳ６７の判定で、Ｚ℃となった場合には、ファンモータ１１の運転周波数をｄＨｚにさらに下げて風量を低下させる（ステップＳ６８）。これによって、さらに温度上昇したサーバー２から吹き出された熱い空気が室内機１に吸い込まれる量をさらに少なくすることができる。
【００５５】
なお、図５におけるＸ、Ｙ、Ｚは予め設定されたしきい値でありＸ＜Ｙ＜Ｚとなるよう設定されている。
【００５６】
係る図５の制御によれば、吸込温度センサ１２または吹出温度センサ１３が検出する温度の上昇に伴って、室内機ファン９の回転数を徐々に低くするように制御するので、サーバー２をより一層確実に保護することができる。
【００５７】
（第２実施形態）
次に、本発明の第２実施形態について図６から図９を用いて説明する。図６は本発明の第２実施形態の空調機の室内機の概念図、図７は第２実施形態の空調機のサーモオフ中に室内機ファンを吹出温度で制御するフローチャート、図８は第２実施形態の空調機のサーモオフ中に室内機ファンを吸込温度で制御するフローチャート、図９は第２実施形態の空調機のサーモオフ中に室内機ファンを複数のしきい値で制御するフローチャートである。図７から図９の制御は室内機１内の切替えスイッチまたはリモコンスイッチ１４で選択することにより切替えることが可能である。
【００５８】
なお、この第２実施形態は、次に述べる点で第１実施形態と相違するものであり、その他の点については第１実施形態と基本的には同一であるので、重複する説明を省略する。
【００５９】
この第２実施形態では、室内機１は、図６に示すように、第１室内機ファン９ａ及び第２室内機ファン９ｂからなる複数の室内機ファン９と、第１室内機ファン９ａを駆動する第１室内機ファンモータ１１ａ及び第２室内機ファン９ｂを駆動する第２室内機ファンモータ１１ｂからなる複数の室内機ファンモータ１１と、第１室内機ファン９ａによる通風路中に設けられた第１吸込温度センサ１２ａ及び第１吹出温度センサ１３ａと、第２室内機ファン９ｂによる通風路中に設けられた第２吸込温度センサ１２ｂ及び第２吹出温度センサ１３ｂとを備えている。
【００６０】
図７において、圧縮機の運転が停止してサーモオフになると（ステップＳ７１）、第１室内機ファン９ａの風量（運転周波数；回転数）はサーモオン中の設定風量を継続すると共に（ステップＳ７２１）、第２室内機ファン９ｂの風量（運転周波数；回転数）はサーモオン中の設定風量を継続する（ステップＳ７２２）。
【００６１】
ステップＳ７２１〜Ｓ７８１の制御は、前述したステップＳ４２〜Ｓ４８の制御と比較して、制御対象が第１室内機ファン９ａであるか室内機ファン９ａであるかで相違するのみであり、その他は同一の制御であるため、重複する説明を省略する。
【００６２】
また、ステップＳ７２２〜Ｓ７７２の制御は、前述したステップＳ４２〜Ｓ４８の制御と比較して、制御対象が第２室内機ファン９ｂか室内機ファン９ａかが相違するのみであり、その他は同一の制御であるため、重複する説明を省略する。
【００６３】
第１室内機ファン９ａまたは第２室内機ファン９ｂの運転周波数がｄＨｚの状態（ステップＳ７８１またはＳ７８２の状態）において、室内機吹出温度Ｔｏ１と室内機吹出温度Ｔｏ２とに温度差が発生したかを判定する（ステップＳ７９）。
【００６４】
この判定で、室内機吹出温度Ｔｏ１が室内機吹出温度Ｔｏ２よりも高い場合には、第１室内機ファン９ａの運転を停止する（ステップＳ７９１）。また、ステップＳ７９の判定で、室内機吹出温度Ｔｏ２が室内機吹出温度Ｔｏ１よりも高い場合には、第２室内機ファン９ｂの運転を停止する（ステップＳ７９２）。換言すれば、高い温度となっている側の室内機ファン９ａまたは９ｂを停止させる。
【００６５】
係る図７の制御によれば、吹出温度センサ１３が検出する温度の上昇に伴って、複数の室内機ファン９ａ、９ｂの回転数を徐々に低くするように制御すると共に、最終的には一方の室内機ファン９ａまたは９ｂのみを停止するように制御するので、サーバー２をより一層確実に保護することができる。
【００６６】
図８において、圧縮機の運転が停止してサーモオフになると（ステップＳ８１）、第１室内機ファン９ａの風量（運転周波数；回転数）はサーモオン中の設定風量を継続すると共に（ステップＳ８２１）、第２室内機ファン９ｂの風量（運転周波数；回転数）はサーモオン中の設定風量を継続する（ステップＳ８２２）。
【００６７】
ステップＳ８２１〜Ｓ８８１の制御は、前述したステップＳ４２〜Ｓ４８の制御と比較して、制御対象が第１室内機ファン９ａであるか室内機ファン９ａであるかで相違するのみであり、その他は同一の制御であるため、重複する説明を省略する。
【００６８】
また、ステップＳ８２２〜Ｓ８７２の制御は、前述したステップＳ４２〜Ｓ４８の制御と比較して、制御対象が第２室内機ファン９ｂか室内機ファン９ａかが相違するのみであり、その他は同一の制御であるため、重複する説明を省略する。
【００６９】
第１室内機ファン９ａまたは第２室内機ファン９ｂの運転周波数がｄＨｚの状態（ステップＳ８８１またはＳ８８２の状態）において、室内機吸込温度Ｔｉ１と室内機吸込温度Ｔｉ２とに温度差が発生したかを判定する（ステップＳ８９）。
【００７０】
この判定で、室内機吸込温度Ｔｉ１が室内機吸込温度Ｔｉ２よりも高い場合には、第１室内機ファン９ａの運転を停止する（ステップＳ８９１）。また、ステップＳ８９の判定で、室内機吸込温度Ｔｉ２が室内機吸込温度Ｔｉ１よりも高い場合には、第２室内機ファン９ｂの運転を停止する（ステップＳ８９２）。換言すれば、高い温度となっている側の室内機ファン９ａまたは９ｂを停止させる。
【００７１】
係る図８の制御によれば、吸込温度センサ１２が検出する温度の上昇に伴って、複数の室内機ファン９ａ、９ｂの回転数を徐々に低くするように制御すると共に、最終的には一方の室内機ファン９ａまたは９ｂのみを停止するように制御するので、サーバー２をより一層確実に保護することができる。
【００７２】
図９において、圧縮機の運転が停止してサーモオフになると（ステップＳ９１）、第１室内機ファン９ａの風量（運転周波数；回転数）はサーモオン中の設定風量を継続すると共に（ステップＳ９２１）、第２室内機ファン９ｂの風量（運転周波数；回転数）はサーモオン中の設定風量を継続する（ステップＳ９２２）。
【００７３】
ステップＳ９２１〜Ｓ９８１の制御は、前述したステップＳ４２〜Ｓ４８の制御と比較して、制御対象が第１室内機ファン９ａであるか室内機ファン９ａであるかで相違するのみであり、その他は同一の制御であるため、重複する説明を省略する。
【００７４】
また、ステップＳ９２２〜Ｓ９７２の制御は、前述したステップＳ４２〜Ｓ４８の制御と比較して、制御対象が第２室内機ファン９ｂか室内機ファン９ａかが相違するのみであり、その他は同一の制御であるため、重複する説明を省略する。
【００７５】
第１室内機ファン９ａまたは第２室内機ファン９ｂの運転周波数がｄＨｚの状態（ステップＳ９８１またはＳ９８２の状態）において、室内機吸込温度Ｔｉ１または室内機吹出温度Ｔｏ１と室内機吸込温度Ｔｉ２または空調機の室内機吹出温度Ｔｏ２とに温度差が発生したかを判定する（ステップＳ９９）。
【００７６】
この判定で、室内機吸込温度Ｔｉ１または室内機吹出温度Ｔｏ１が室内機吸込温度Ｔｉ２または室内機吹出温度Ｔｏ２よりも高い場合には、第１室内機ファン９ａの運転を停止する（ステップＳ９９１）。また、ステップＳ９９の判定で、室内機吸込温度Ｔｉ２または室内機吹出温度Ｔｏ２が室内機吸込温度Ｔｉ１または室内機吹出温度Ｔｏ１よりも高い場合には、第２室内機ファン９ｂの運転を停止する（ステップＳ９９１）。換言すれば、高い温度となっている側の室内機ファン９ａまたは９ｂを停止させる。
【００７７】
係る図９の制御によれば、吸込温度センサ１２または吹出温度センサ１３が検出する温度の上昇に伴って、複数の室内機ファン９ａ、９ｂの回転数を徐々に低くするように制御すると共に、最終的には一方の室内機ファン９ａまたは９ｂのみを停止するように制御するので、サーバー２をより一層確実に保護することができる。
【図面の簡単な説明】
【００７８】
【図１】本発明の第１実施形態の空調機の室内機をサーバールームに設置した状態を示す斜視図である。
【図２】図１の室内機１の概念図である。
【図３】第１実施形態の空調機のサーモオフ中に室内機ファンを吹出温度で制御するフローチャートである。
【図４】第１実施形態の空調機のサーモオフ中に室内機ファンを吸込温度で制御するフローチャートである。
【図５】第１実施形態の空調機のサーモオフ中に室内機ファンを複数のしきい値で制御するフローチャートである。
【図６】本発明の第２実施形態の空調機の室内機の概念図である。
【図７】第２実施形態の空調機のサーモオフ中に室内機ファンを吹出温度で制御するフローチャートである。
【図８】第２実施形態の空調機のサーモオフ中に室内機ファンを吸込温度で制御するフローチャートである。
【図９】第２実施形態の空調機のサーモオフ中に室内機ファンを複数のしきい値で制御するフローチャートである。
【符号の説明】
【００７９】
１…空調機の室内機、１ａ…室内機吸込口、１ｂ…室内機吹出口、２…サーバー、２ａ…サーバー機吸込口、２ｂ…サーバー吹出口、３…サーバー吹出空気、４…室内機吸込空気、５…室内機吹出空気、６…サーバー吸込空気、８…蒸発器、９…室内機ファン、９ａ…第１室内機ファン、９ｂ…第２室内機ファン、１１…室内機ファンモータ、１１ａ…第１室内機ファンモータ、１１ｂ…第２室内機ファンモータ、１２…吸込温度センサ、１２ａ…第１吸込温度センサ、１２ｂ…第２吸込温度センサ、１３…吹出温度センサ、１３ａ…第１吹出温度センサ、１３ｂ…第２吹出温度センサ、１４…リモコンスイッチ、Ｔｓ１…室内機吹出設定温度、Ｔｓ２…室内機吸込設定温度、Ｔｉ１、Ｔｉ２…室内機吸込温度、Ｔｏ１、Ｔｏ２…室内機吹出温度、ａ…サーモオン時設定周波数、ｂ、ｃ、ｄ…運転設定周波数、Ａ、Ｂ、Ｃ…温度制御しきい値、Ｘ、Ｙ、Ｚ…温度制御しきい値。
【図１】
0004876095.tif 000002
【図２】
0004876095.tif 000003
【図３】
0004876095.tif 000004
【図４】
0004876095.tif 000005
【図５】
0004876095.tif 000006
【図６】
0004876095.tif 000007
【図７】
0004876095.tif 000008
【図８】
0004876095.tif 000009
【図９】
0004876095.tif 000010